(57)【要約】      （修正有）【課題】時分割多重信号をパケット化して伝送する場合に、パケットのヘッダ部分を誤り訂正することで、ペイロード部分の破棄を少なくし、エラーレートの低下を防ぐことができる伝送装置および伝送システムを提供する。【解決手段】時分割多重信号のデータを格納するペイロード部と、データの伝送制御情報を格納するヘッダ部と、を有するパケットを生成するパケット組立部と、ヘッダ部に対する誤り訂正符号を生成して、パケットに付加する誤り訂正符号付加部と、誤り訂正符号付加部が出力するパケットをパケット網に送信するパケット送信部と、パケット網からパケットを受信するパケット受信部と、パケット受信部が受信したパケットに付加された誤り訂正符号を抽出して当該パケットのヘッダ部の誤り訂正を行う誤り訂正部と、誤り訂正部が誤り訂正したパケットのペイロード部に格納されたデータを時分割多重信号に復元するパケット分解部とを有する。【選択図】図５
2014053790.tif 000002
【特許請求の範囲】
【請求項１】
時分割多重信号のデータを格納するペイロード部と、前記データの伝送制御情報を格納するヘッダ部と、を有するパケットを生成するパケット組立部と、
前記ヘッダ部に対する誤り訂正符号を生成して、前記パケットに付加する誤り訂正符号付加部と、
前記誤り訂正符号付加部が出力する前記パケットをパケット網に送信するパケット送信部と、
前記パケット網から前記パケットを受信するパケット受信部と、
前記パケット受信部が受信した前記パケットに付加された前記誤り訂正符号を抽出して当該パケットの前記ヘッダ部の誤り訂正を行う誤り訂正部と、
前記誤り訂正部が誤り訂正したパケットの前記ペイロード部に格納されたデータを時分割多重信号に復元するパケット分解部と
を有することを特徴とする伝送装置。
【請求項２】
請求項１に記載の伝送装置において、
前記誤り訂正符号付加部は、前記ヘッダ部に対する誤り訂正符号を前記ペイロード部に格納し、
前記誤り訂正部は、前記パケット受信部が受信した前記パケットの前記ペイロード部に格納された前記誤り訂正符号を抽出して当該パケットの前記ヘッダ部の誤り訂正を行う
ことを特徴とする伝送装置。
【請求項３】
請求項１または２に記載の伝送装置において、
前記誤り訂正符号付加部は、前記ペイロード部と前記ヘッダ部とを含む前記パケット全体に対する誤りを検出するための誤り検出符号を前記パケットに付加し、
前記誤り訂正部は、前記パケット受信部が受信した前記パケットの前記誤り検出符号により誤りを検出した場合に、前記ペイロード部に格納された前記誤り訂正符号を抽出して当該パケットの誤りの原因が前記ヘッダ部であるか否かを判別し、前記ヘッダ部が原因である場合は、前記誤り訂正符号により前記ヘッダ部の誤りを訂正し、前記ヘッダ部が原因ではない場合または前記誤り訂正符号により訂正できない場合は、当該パケットを廃棄する
ことを特徴とする伝送装置。
【請求項４】
請求項１から３のいずれか一項に記載の伝送装置において、
前記時分割多重信号は、ＳＤＨ／ＳＯＮＥＴ信号であり、
前記パケットは、ＣＥＰパケットである
ことを特徴とする伝送装置。
【請求項５】
時分割多重回線から入力する時分割多重信号のデータをペイロード部に格納し、前記データの伝送制御情報をヘッダ部に格納したパケットを生成するパケット組立部と、
前記ヘッダ部に対する誤り訂正符号を生成して、前記パケットに付加する誤り訂正符号付加部と、
前記誤り訂正符号付加部が出力する前記パケットをパケット網に送信するパケット送信部と
を有する送信側の伝送装置と、
前記送信側の伝送装置が送信する前記パケットを受信するパケット受信部と、
前記パケット受信部が受信した前記パケットに付加された前記誤り訂正符号を抽出して当該パケットの前記ヘッダ部の誤り訂正を行う誤り訂正部と、
前記誤り訂正部が誤り訂正したパケットの前記ペイロード部に格納されたデータを時分割多重信号に復元して時分割多重回線に出力するパケット分解部と
を有する受信側の伝送装置と
を有することを特徴とする伝送システム。
【請求項６】
請求項５に記載の伝送システムにおいて、
前記誤り訂正符号付加部は、前記ヘッダ部に対する誤り訂正符号を前記ペイロード部に格納し、
前記誤り訂正部は、前記パケット受信部が受信した前記パケットの前記ペイロード部に格納された前記誤り訂正符号を抽出して当該パケットの前記ヘッダ部の誤り訂正を行う
ことを特徴とする伝送システム。
【請求項７】
請求項５または６に記載の伝送システムにおいて、
前記誤り訂正符号付加部は、前記ペイロード部と前記ヘッダ部とを含む前記パケット全体に対する誤りを検出するための誤り検出符号を前記パケットに付加し、
前記誤り訂正部は、前記パケット受信部が受信した前記パケットの前記誤り検出符号により誤りを検出した場合に、前記ペイロード部に格納された前記誤り訂正符号を抽出して当該パケットの誤りの原因が前記ヘッダ部であるか否かを判別し、前記ヘッダ部が原因である場合は、前記誤り訂正符号により前記ヘッダ部の誤りを訂正し、前記ヘッダ部が原因ではない場合または前記誤り訂正符号により訂正できない場合は、当該パケットを廃棄する
ことを特徴とする伝送システム。
【請求項８】
請求項５から７のいずれか一項に記載の伝送システムにおいて、
前記時分割多重信号は、ＳＤＨ／ＳＯＮＥＴ信号であり、
前記パケットは、ＣＥＰパケットである
ことを特徴とする伝送システム。
【発明の詳細な説明】
【技術分野】
【０００１】
本発明は、伝送装置および伝送システムに関する。
【背景技術】
【０００２】
近年、ネットワーク技術の発展に伴い、パケット網が急速に普及してきている。一方で、時分割多重伝送回線のＳＤＨ／ＳＯＮＥＴ信号をパケット化してパケット網で伝送するシステムが要求されている（例えば、特許文献１参照)。ここで、ＳＤＨは、Ｓｙｎｃｈｒｏｎｏｕｓ  Ｄｉｇｉｔａｌ  Ｈｉｅｒａｒｃｈｙ（同期デジタル・ハイアラーキ）、ＳＯＮＥＴは、Ｓｙｎｃｈｒｏｎｏｕｓ  Ｏｐｔｉｃａｌ  ＮＥＴｗｏｒｋ（同期光伝送網）の略である。そして、ＳＤＨ／ＳＯＮＥＴ信号をＣＥＰ（Ｃｉｒｃｕｉｔ  Ｅｍｕｌａｔｉｏｎ  ｏｖｅｒ  Ｐａｃｋｅｔ）によりパケット化する方式は、ＩＥＴＦ（Ｉｎｔｅｒｎｅｔ  Ｅｎｇｉｎｅｅｒｉｎｇ  Ｔａｓｋ  Ｆｏｒｃｅ）ＲＦＣ４８４２に規定されている。
【先行技術文献】
【特許文献】
【０００３】
【特許文献１】特開２０１１−０４０９９２号公報
【発明の概要】
【発明が解決しようとする課題】
【０００４】
従来技術では、ＳＤＨ／ＳＯＮＥＴ信号をＣＥＰパケットに変換して伝送する際にＦＣＳ（Ｆｒａｍｅ  Ｃｈｅｃｋ  Ｓｅｑｕｅｍｃｅ）処理でエラーを検出した場合、伝送装置は、当該パケットを廃棄する。この場合、受信側の伝送装置は、ＣＥＰパケットをＳＤＨ／ＳＯＮＥＴフレームに復元する時に、廃棄されたパケットに格納された全データをブロックエラーとして処理する。このように、ＳＤＨ／ＳＯＮＥＴ伝送路では、一部のビットエラーとして処理される程度のエラーの発生であっても、パケット網ではパケットに格納された全データが廃棄される。このため、パケット網でのエラーレートはＳＤＨ／ＳＯＮＥＴ伝送路におけるエラーレートよりも悪くなるという問題がある。
【０００５】
本発明の目的は、時分割多重信号をパケット化して伝送する場合に、パケットのヘッダ部分を誤り訂正することによりペイロード部分の破棄を少なくし、エラーレートの低下を防ぐことができる伝送装置および伝送システムを提供することである。
【課題を解決するための手段】
【０００６】
一つの観点による伝送装置は、時分割多重信号のデータを格納するペイロード部と、データの伝送制御情報を格納するヘッダ部と、を有するパケットを生成するパケット組立部と、ヘッダ部に対する誤り訂正符号を生成して、パケットに付加する誤り訂正符号付加部と、誤り訂正符号付加部が出力するパケットをパケット網に送信するパケット送信部と、パケット網からパケットを受信するパケット受信部と、パケット受信部が受信したパケットに付加された誤り訂正符号を抽出して当該パケットのヘッダ部の誤り訂正を行う誤り訂正部と、誤り訂正部が誤り訂正したパケットのペイロード部に格納されたデータを時分割多重信号に復元するパケット分解部とを有することを特徴とする。
【０００７】
一つの観点による伝送システムは、時分割多重回線から入力する時分割多重信号のデータをペイロード部に格納し、データの伝送制御情報をヘッダ部に格納したパケットを生成するパケット組立部と、ヘッダ部に対する誤り訂正符号を生成して、パケットに付加する誤り訂正符号付加部と、誤り訂正符号付加部が出力するパケットをパケット網に送信するパケット送信部とを有する送信側の伝送装置と、送信側の伝送装置が送信するパケットを受信するパケット受信部と、パケット受信部が受信したパケットに付加された誤り訂正符号を抽出して当該パケットのヘッダ部の誤り訂正を行う誤り訂正部と、誤り訂正部が誤り訂正したパケットのペイロード部に格納されたデータを時分割多重信号に復元して時分割多重回線に出力するパケット分解部とを有する受信側の伝送装置とを有することを特徴とする。
【発明の効果】
【０００８】
本発明に係る伝送装置および伝送システムは、時分割多重信号をパケット化して伝送する場合に、パケットのヘッダ部分を誤り訂正することによりペイロード部分の破棄を少なくし、エラーレートの低下を防ぐことができる。
【図面の簡単な説明】
【０００９】
【図１】本実施形態に係る伝送システム１００の一例を示す図である。
【図２】ＳＤＨ／ＳＯＮＥＴにおけるエラー発生時の様子を示す図である。
【図３】従来のＣＥＰパケット伝送におけるエラー発生時の様子を示す図である。
【図４】パケットのフォーマット例を示す図である。
【図５】本実施形態に係る伝送装置１０１の一例を示す図である。
【図６】本実施形態に係る伝送装置１０１の受信処理を示すフローチャート例である。
【図７】従来の受信処理の流れを示すフローチャート例を示す図である。
【発明を実施するための形態】
【００１０】
以下、本件開示の実施形態について詳しく説明する。
【００１１】
図１は、本実施形態に係る伝送システム１００の一例を示す図である。図１の例では、伝送システム１００は、ＴＤＭ（時分割多重）回線に接続される伝送装置１０１ａと、パケット網１０２を介して別のＴＤＭ回線に接続される伝送装置１０１ｂとを有する。ここで、以降の説明において、伝送装置１０１ａおよび伝送装置１０１ｂに共通の事項を説明する場合は符号末尾のアルファベット記号を省略して伝送装置１０１のように表記する。また、特定の伝送装置１０１を示す場合はアルファベット記号を付加して例えば伝送装置１０１ａのように表記する。同様に、その他の同名のブロック（ＳＤＨ／ＳＯＮＥＴ伝送装置２０１など）についても同様の規則で表記する。
【００１２】
尚、本実施形態では、ＴＤＭ回線としてＳＤＨ／ＳＯＮＥＴ回線を想定するが、ＯＴＮ（Ｏｐｔｉｃａｌ  Ｔｒａｎｓｐｏｒｔ  Ｎｅｔｗｏｒｋ：光伝送網）などの他のＴＤＭ回線であってもよい。
【００１３】
図１において、伝送装置１０１ａは、ＳＤＨ／ＳＯＮＥＴ回線１０３から入力するＴＤＭ信号をパケット化してパケット網１０２に出力する。伝送装置１０１ｂは、パケット網１０２を介してパケット化されたＴＤＭ信号を受信してＳＤＨ／ＳＯＮＥＴ回線１０４に出力する。同様に、伝送装置１０１ｂは、ＳＤＨ／ＳＯＮＥＴ回線１０４から入力するＴＤＭ信号をパケット化してパケット網１０２に出力し、伝送装置１０１ａは、パケット化されたＴＤＭ信号を受信してＳＤＨ／ＳＯＮＥＴ回線１０３に出力する。このようにして、本実施形態に係る伝送システム１００では、ＳＤＨ／ＳＯＮＥＴ回線１０３とＳＤＨ／ＳＯＮＥＴ回線１０４との間をパケット網１０２で中継することができる。尚、パケット網１０２は、例えば１０ＧＥイーサネット（登録商標）が用いられるネットワークである。また、図１では、パケット網１０２を介して伝送装置１０１ａと伝送装置１０１ｂの２台の伝送装置１０１しか接続されていないが、パケット網１０２には同様の機能を有する複数の伝送装置１０１が接続されている。
【００１４】
図２は、ＳＤＨ／ＳＯＮＥＴ伝送装置２０１ａとＳＤＨ／ＳＯＮＥＴ伝送装置２０１ｂとがＳＤＨ／ＳＯＮＥＴ回線２０２で接続されている場合に、エラーが発生した時の様子を示す図である。図２の例では、ＳＤＨ／ＳＯＮＥＴ伝送装置２０１ｂからＳＤＨ／ＳＯＮＥＴ伝送装置２０１ａにＳＤＨ／ＳＯＮＥＴ回線２０２を介してＳＤＨ／ＳＯＮＥＴフレーム２５０を伝送している。ここで、ＳＤＨ／ＳＯＮＥＴフレーム２５０は、ＳＤＨ／ＳＯＮＥＴの運用状態や誤り監視等の情報が格納される制御データ２５１ａとユーザデータが格納されるペイロード２５１ｂとを有する。
【００１５】
図２において、ＳＤＨ／ＳＯＮＥＴ伝送装置２０１ｂからＳＤＨ／ＳＯＮＥＴ伝送装置２０１ａにＳＤＨ／ＳＯＮＥＴフレーム２５０を伝送中にＳＤＨ／ＳＯＮＥＴ回線２０２でエラーが発生したと仮定する。この場合、ＳＤＨ／ＳＯＮＥＴ伝送装置２０１ａが受信するＳＤＨ／ＳＯＮＥＴフレーム２５０ａには、ビットエラー２５２が含まれている。
【００１６】
ここで、ＳＤＨ／ＳＯＮＥＴにおける信号劣化の検出方式について説明する。尚、ＳＤＨ／ＳＯＮＥＴにおける信号劣化の検出方式は、ＩＴＵ−Ｔ  Ｇ．７０７／Ｔｅｌｃｏｒｄｉａ  ＧＲ−２５３−ＣＯＲＥで規定されている。ＳＤＨ／ＳＯＮＥＴでは、伝送品質を監視するためにセクションオーバヘッド内に配置されたＢ１／Ｂ２バイトを用いて符号誤りを監視している。この監視方式は、ＢＩＰ（Ｂｉｔ  Ｉｎｔｅｒｌｅａｖｅｄ  Ｐａｒｉｔｙ）と呼ばれている。具体的には、送信側の装置は、ＳＤＨ／ＳＯＮＥＴフレームの予め決められた各演算範囲の演算結果を次フレームのＢ１／Ｂ２バイトに挿入し、受信の装置は、Ｂ１／Ｂ２に格納された演算結果と受信フレームとを比較して、伝送品質を監視する。この監視により、伝送装置１０１は、ＢＥＲ（Ｂｉｔ  Ｅｒｒｏｒ  Ｒａｔｅ）を算出し、設定された閾値以上になれば伝送路故障もしくは品質劣化と判定することができる。尚、伝送路故障および伝送路品質劣化の閾値については、ＩＴＵ−Ｔ  Ｇ．８０６にて規定されている。
【００１７】
一方、イーサネットフレームの誤り検出方式では、宛先アドレス、送信元アドレス、長さ／タイプ、データ等の各フィールドの各値からＣＲＣ（Ｃｙｃｌｉｃ  Ｒｅｄｕｎｄａｎｃｙ  Ｃｈｅｃｋ）値を求める。そして、送信側の装置はＣＲＣ値をパケットのＦＣＳフィールドに設定して送信し、受信側でも同じようにしてＣＲＣ値を求め、求めたＣＲＣ値と受信パケットのＦＣＳフィールドの値とが一致しない場合はエラーが発生したと判断し、そのフレームを破棄する。このため、ＳＤＨ／ＳＯＮＥＴフレームをＣＥＰパケットに展開してパケット網で伝送する場合のエラーレートは、ＳＤＨ／ＳＯＮＥＴ回線で伝送する場合よりも大幅に低下するという問題が生じる。
【００１８】
この問題について、図３を用いて具体的に説明する。図３は、従来の伝送装置９０１ａおよび伝送装置９０１ｂがＳＤＨ／ＳＯＮＥＴ信号をパケット化してパケット網１０２を介して伝送する場合に、パケット網１０２でエラーが発生した時の様子を示している。尚、図３において、図１および図２と同符号のブロックは同じものを示す。
【００１９】
図３において、ＳＤＨ／ＳＯＮＥＴ伝送装置２０１ｂから送信されるＳＤＨ／ＳＯＮＥＴフレーム２５０は、伝送装置９０１ｂでパケット３００に変換されてパケット網１０２に出力される。ここで、パケット３００は、ヘッダ３０１ａと、ペイロード３０１ｂと、ＦＣＳビット３０１ｃとを有する。尚、ＳＤＨ／ＳＯＮＥＴフレーム２５０のペイロード２５１ｂの部分は、ＣＥＰ規格に従って複数のデータに分割されて、パケット３００のペイロード３０１ｂに格納されて伝送される。この時、パケット３００のヘッダ３０１ａにはシーケンス番号が付加されるので、受信側の伝送装置９０１ａは、分割された複数のデータをＳＤＨ／ＳＯＮＥＴフレーム２５０のペイロード２５１ｂに復元することができる。
【００２０】
ここで、パケット網１０２で伝送中にエラーが発生して、パケット３００のペイロード３０１ｂにビットエラー３０２が生じたと仮定する。この場合、伝送装置９０１ａは、受信するパケット３００にはビットエラー３０２が含まれているので、ＦＣＳビット３０１ｃのチェックでパケット誤りを検出し、当該パケット３００を廃棄する。そして、ＣＥＰの規定に従って、伝送装置９０１ａは、全て”１”のデータをＳＤＨ／ＳＯＮＥＴ伝送装置２０１ａに出力する。従って、ビットエラー３０２を含むパケット３００を受信した伝送装置９０１ａは、当該パケット３００の部分を全て”１”のデータに置き換えてＳＤＨ／ＳＯＮＥＴフレーム２５０ｂを生成し、ＳＤＨ／ＳＯＮＥＴ伝送装置２０１ａに出力する。このように、パケット網１０２でのビットエラー３０２により、伝送装置９０１ａは、受信側のＳＤＨ／ＳＯＮＥＴ伝送装置で利用可能なエラーが無いデータを含むペイロード３０１ｂの全データを破棄することになり、エラーレートの低下を招くことになってしまう。
【００２１】
次に、パケット網１０２で伝送されるパケットの一例について図４を用いて説明する。図４（ａ）は、１０ＧＥイーサネットで伝送される一般的なＭＰＬＳ（Ｍｕｌｔｉ−Ｐｒｏｔｏｃｏｌ  Ｌａｂｅｌ  Ｓｗｉｔｃｈｉｎｇ）のラベル付きＬ２パケット３００のフォーマット例を示している。パケット３００は、ヘッダ３０１ａと、ペイロード３０１ｂと、ＦＣＳビット３０１ｃとを有する。また、ヘッダ３０１ａは、宛先アドレス（ＤＡ）、送信元アドレス（ＳＡ）、パケットの種類などを示すタイプ（Ｔｙｐｅ）、ＭＰＬＳラベル等の情報を有する。そして、ヘッダ３０１ａとペイロード３０１ｂの誤りを検出するためのチェック用データがＦＣＳビット３０１ｃに格納される。図１の伝送装置１０１や図３の伝送装置９０１は、通常のＬ２パケット３００を受信するとＦＣＳビットのチェックを行い、ヘッダ３０１ａとペイロード３０１ｂの誤りが検出された場合、当該パケット３００を廃棄する。
【００２２】
図４（ｂ）は、１０ＧＥイーサネットでＳＤＨ／ＳＯＮＥＴフレームをパケット化して伝送する場合の一般的なＣＥＰパケット３００ａのフォーマット例を示している。パケット３００ａは、ヘッダ３０１ａ１と、ペイロード３０１ｂと、ＦＣＳビット３０１ｃとを有する。ＣＥＰパケット３００ａのヘッダ３０１ａ１は、図４（ａ）のヘッダ３０１ａの情報に加えてＣＥＰヘッダが格納される。ＣＥＰヘッダは、ＳＤＨ／ＳＯＮＥＴフレームを復元するためのシーケンス番号などの制御情報を有する。そして、ペイロード３０１ｂに格納されるＳＤＨ／ＳＯＮＥＴフレームのデータとヘッダ３０１ａ１との誤りを検出するためのチェック用のデータがＦＣＳビット３０１ｃに格納される。図３の従来の伝送装置９０１では、ＣＥＰパケット３００ａを受信するとＦＣＳビットのチェックを行い、ヘッダ３０１ａとペイロード３０１ｂの誤りが検出された場合、当該パケット３００ａを廃棄する。これに対して、図１の本実施形態に係る伝送装置１０１では、図４（ｃ）に示すように、ＣＥＰパケット３００ａのヘッダ３０１ａの部分を誤り訂正範囲とするヘッダ誤り訂正符号（冗長ビット）を生成する。そして、図４（ｄ）に示すように、伝送装置１０１は、生成した誤り訂正符号をペイロード３０１ｂに挿入してペイロード３０１ｂ１とし、ヘッダ３０１ａ１とペイロード３０１ｂ１とＦＣＳビット３０１ｃとを有するＣＥＰパケット３００ｂを生成する。尚、図４（ｄ）では、誤り訂正符号をペイロード３０１ｂ１の先頭部分に付加する例を示したが、予め決められた位置であればペイロード３０１ｂ１の後部でもよい。
【００２３】
このように、本実施形態に係る伝送システム１００では、ＣＥＰパケット３００ｂのヘッダ３０１ａ１部分の誤り訂正符号をペイロード３０１ｂ１に格納して伝送する。尚、図４（ａ）から図４（ｄ）において、ＦＣＳビット３０１ｃは同符号であるが、パケット３００と、ＣＥＰヘッダが付加されたパケット３００ａと、更にヘッダ誤り訂正符号が付加されたパケット３００ｂとでは、ＦＣＳビット３０１ｃに格納された値が異なる。また、図４では、ヘッダ情報として、ＤＡ，ＳＡ，Ｔｙｐｅ，ＭＰＬＳラベル，ＣＥＰヘッダを記載したが、ＣＥＰパケットのＲＴＰ（Ｒｅａｌｔｉｍｅ  Ｔｒａｎｓｐｏｒｔ  Ｐｒｏｔｏｃｏｌ）ヘッダなども格納される。
【００２４】
次に、本実施形態に係る伝送装置１０１の一例について、図５を用いて説明する。図５において、伝送装置１０１は、ＳＤＨ／ＳＯＮＥＴ＿ＩＦ（インターフェース）１５１と、ＣＥＰ＿ＩＦ（インターフェース）１５２と、スイッチ１５３と、１０ＧＥ＿ＩＦ（インターフェース）１５４とを有する。
【００２５】
ＳＤＨ／ＳＯＮＥＴ＿ＩＦ１５１は、ＳＤＨ／ＳＯＮＥＴ回線などのＴＤＭ回線に接続するためのインターフェースで、ＴＤＭ受信部１６１と、ＴＤＭ送信部１６２とを有する。ＴＤＭ受信部１６１は、ＳＤＨ／ＳＯＮＥＴ回線からＳＤＨ／ＳＯＮＥＴ信号を受信してＳＤＨ／ＳＯＮＥＴフレームをＣＥＰ＿ＩＦ１５２に出力する。逆に、ＴＤＭ送信部１６２は、ＳＤＨ／ＳＯＮＥＴフレームをＣＥＰ＿ＩＦ１５２から入力してＳＤＨ／ＳＯＮＥＴ信号をＳＤＨ／ＳＯＮＥＴ回線に送信する。
【００２６】
ＣＥＰ＿ＩＦ１５２は、ＳＤＨ／ＳＯＮＥＴフレームとＣＥＰパケットの変換を行うためのインターフェースで、ＣＥＰ組立部１６３と、ＣＥＰ分解部１６４とを有する。ＣＥＰ組立部１６３は、ＳＤＨ／ＳＯＮＥＴ＿ＩＦ１５１から入力するＳＤＨ／ＳＯＮＥＴフレームを分割してＣＥＰパケットを組み立て、スイッチ１５３に出力する。ＣＥＰ分解部１６４は、スイッチ１５３から入力するＣＥＰパケットを分解してＳＤＨ／ＳＯＮＥＴフレームを生成し、ＳＤＨ／ＳＯＮＥＴ＿ＩＦ１５１に出力する。ここで、ＣＥＰ＿ＩＦ１５２とスイッチ１５３との間で入出力するＣＥＰパケットは、図４（ｃ）に示したパケット３００ａに対応する。
【００２７】
スイッチ１５３は、ＣＥＰ＿ＩＦ１５２や１０ＧＥ＿ＩＦ１５４から入力するパケットの宛先に応じて転送先を切り替える処理を行う。例えば伝送装置１０１は、１０ＧＥ＿ＩＦ１５４から入力するＣＥＰパケット以外のパケットを宛先に応じて、再び、１０ＧＥ＿ＩＦ１５４からパケット網１０２に送信する。或いは、伝送装置１０１は、１０ＧＥ＿ＩＦ１５４から入力するＣＥＰパケットが自装置宛である場合はＣＥＰ＿ＩＦ１５２に出力し、他の装置宛である場合は、再び、１０ＧＥ＿ＩＦ１５４からパケット網１０２に送信する。尚、本実施形態では、ＳＤＨ／ＳＯＮＥＴフレームをＣＥＰパケットに変換し送信し、受信するＣＥＰパケットをＳＤＨ／ＳＯＮＥＴフレームに変換する伝送装置１０１の動作を中心に説明するので、通常のスイッチ動作の詳細な説明は省略する。
【００２８】
１０ＧＥ＿ＩＦ１５４は、１０ＧＥイーサネットのパケット網１０２に接続するためのインターフェースで、パケット送信部１６７と、パケット受信部１６８とを有する。更に、本実施形態では、伝送装置１０１は、訂正符号付加部１６５と、誤り訂正部１６６とを有する。
【００２９】
パケット送信部１６７は、ＣＥＰパケットをスイッチ１５３から入力してパケット網１０２に送信する。逆に、パケット受信部１６８は、パケット網１０２からＣＥＰパケットを受信してスイッチ１５３に出力する。
【００３０】
訂正符号付加部１６５は、スイッチ１５３を介してＣＥＰ＿ＩＦ１５２から入力するＣＥＰパケットのヘッダ部分の誤りを訂正するための誤り訂正符号を生成して付加する。この時、訂正符号付加部１６５は、誤り訂正符号を付加時にＦＣＳビットの値を再計算する。また、誤り訂正部１６６は、パケット網１０２から受信するＣＥＰパケットのヘッダ部分の誤り訂正を行い、冗長部分であるヘッダ誤り訂正符号を削除して、スイッチ１５３を介してＣＥＰ＿ＩＦ１５２に出力する。或いは、誤り訂正部１６６は、誤り訂正ができない場合は、ペイロード部を全て”１”にしてＣＥＰ＿ＩＦ１５２に出力するか、又は、誤り訂正ができないことをＣＥＰ＿ＩＦ１５２に通知する。この場合、ＣＥＰ＿ＩＦ１５２のＣＥＰ組立部１６３は、ＳＤＨ／ＳＯＮＥＴフレームの当該パケットに対応するデータを全て”１”にする。尚、実際には、パケット網１０２にはＣＥＰパケット以外の一般のＬ２パケットも流れているので、誤り訂正部１６６は、パケット網１０２から受信するパケットがＣＥＰパケットであるか否かの判別も行う。そして、誤り訂正部１６６は、受信パケットがＣＥＰパケットではない場合、ＦＣＳビットのチェックによるエラー検出を行い、エラー時には当該パケットを廃棄する。また、誤り訂正符号の生成方法は、周知の技術であれば何でもよいので、詳細な説明は省略する。ここで、パケット網１０２との間で送受信するＣＥＰパケットは、図４（ｄ）に示したパケット３００ｂに対応する。
【００３１】
このようにして、本実施形態に係る伝送システム１００では、ＣＥＰパケットのヘッダ部分の誤りを訂正するための誤り訂正符号を付加してパケット網１０２上に伝送する。そして、伝送装置１０１は、ＣＥＰパケットのヘッダ部分に誤りがあった場合でも当該パケットを廃棄せず、訂正可能な誤りは訂正して伝送することができる。これにより、伝送システム１００は、ＳＤＨ／ＳＯＮＥＴ伝送装置間をパケット網１０２で時分割多重回線をエミュレーションする場合のエラーレートの低下を抑えることができる。尚、伝送装置１０１は、ＣＥＰパケットのヘッダ部分の誤りが訂正できない場合は、従来と同様に、当該パケットを廃棄するが、ヘッダ部分とペイロード部分のどちらかに誤りがあった場合に廃棄されていた従来に比べてエラーレートの低下を抑えることができる。
【００３２】
次に、伝送装置１０１における受信処理の流れについて説明する。尚、送信処理は、図４で説明した通り、従来のＣＥＰパケット３００ａのヘッダ３０１ａ１の誤り訂正符号を付加したＣＥＰパケット３００ｂを生成して送信する処理を行うだけである。
【００３３】
図６は、伝送装置１０１がパケット網１０２からパケットを受信する時の処理の流れを示すフローチャートである。尚、図６のフローチャートは、図５のパケット受信部１６８、誤り訂正部１６６、ＣＥＰ分解部１６４、ＴＤＭ送信部１６２によって行われる処理である。
【００３４】
（ステップＳ１０１）パケット受信部１６８は、パケット網１０２からパケットを受信するまで待機する。そして、パケット受信部１６８は、パケットを受信したらステップＳ１０２の処理に進む。
【００３５】
（ステップＳ１０２）パケット受信部１６８は、受信したパケットがＣＥＰパケットであるか否かを判別する。そして、パケット受信部１６８は、ＣＥＰパケットでない場合は、ステップＳ１０３の処理に進み、ＣＥＰパケットである場合は、ステップＳ１０６の処理に進む。尚、パケット受信部１６８は、ＣＥＰパケットであるか否かを図４に示したＣＥＰパケット３００ｂのＣＥＰヘッダにより判別する。例えば、ＣＥＰヘッダがないパケットは通常のパケットであり、ＣＥＰヘッダがあるパケットはＣＥＰパケットである。
【００３６】
（ステップＳ１０３）パケット受信部１６８は、受信パケットのＦＣＳビットのチェックを行う。例えば、図４（ａ）のパケット３００の場合は、ＣＥＰパケットではないので、パケット受信部１６８は、ＦＣＳビット３０１ｃにより、ヘッダ３０１ａおよびペイロード３０１ｂの誤り検出を行う。そして、パケット受信部１６８は、ヘッダ３０１ａおよびペイロード３０１ｂの誤りを検出した場合はステップＳ１０４の処理に進み、誤りを検出しなかった場合はステップＳ１０５の処理に進む。
【００３７】
（ステップＳ１０４）パケット受信部１６８は、ＦＣＳビットのチェックで誤りが検出されたパケットを廃棄して、ステップＳ１０１に戻って次のパケットを受信するまで待機する。
【００３８】
（ステップＳ１０５）パケット受信部１６８は、ＦＣＳビットのチェックで誤りが検出されなかったパケットをスイッチ１５３に出力する。そして、パケット受信部１６８は、当該パケットの宛先に応じて、パケット送信部１６７から再び当該パケットをパケット網１０２に転送する。
【００３９】
ここで、上記のステップＳ１０３からステップＳ１０５までの処理は、受信パケットがＣＥＰパケットではない場合の通常のパケット処理である。受信パケットがＣＥＰパケットである場合、伝送装置１０１は、以下の処理を実行する。
【００４０】
（ステップＳ１０６）誤り訂正部１６６は、パケット受信部１６８が受信したパケットがＣＥＰパケットである場合、ヘッダの誤りがあるか否かを判別する。具体的には、図４のＣＥＰパケット３００ｂにおいて、誤り訂正部１６６は、ペイロード３０１ｂ１の予め決められた先頭部分のヘッダ誤り訂正符号を抽出して、ヘッダ３０１ａ１に誤りがあるか否かを判別する。そして、誤り訂正部１６６は、ヘッダ３０１ａ１の誤りを検出した場合はステップＳ１０７の処理に進み、誤りを検出しなかった場合はステップＳ１０９の処理に進む。
【００４１】
（ステップＳ１０７）誤り訂正部１６６は、誤りを検出したヘッダ３０１ａ１の誤り訂正が可能であるか否かを判断する。例えば誤り訂正部１６６は、誤り訂正符号で誤り訂正可能なビット数が２ビットである場合に、ヘッダ３０１ａ１の誤りが２ビット以下の時は誤り訂正が可能で、誤りが３ビット以上の時は誤り訂正が不可能であると判断する。そして、誤り訂正部１６６は、ヘッダ３０１ａ１の誤り訂正が可能な場合はステップＳ１０８の処理に進み、誤り訂正が不可能な場合はステップＳ１１０の処理に進む。
【００４２】
（ステップＳ１０８）誤り訂正部１６６は、ヘッダ３０１ａ１の誤り訂正を行う。
【００４３】
（ステップＳ１０９）誤り訂正部１６６は、ヘッダ３０１ａ１の誤りが検出されなかったＣＥＰパケット、又は、ヘッダ３０１ａ１の誤りが訂正されたＣＥＰパケットをスイッチ１５３を介してＣＥＰ＿ＩＦ１５２のＣＥＰ分解部１６４に出力する。ＣＥＰ分解部１６４は、１０ＧＥ＿ＩＦ１５４からスイッチ１５３を介して入力するＣＥＰパケットを分解して、ＳＤＨ／ＳＯＮＥＴフレームを生成し、ＴＤＭ送信部１６２に出力する。ＴＤＭ送信部１６２は、ＣＥＰ分解部１６４から入力するＳＤＨ／ＳＯＮＥＴフレームをＴＤＭに同期させたＳＤＨ／ＳＯＮＥＴ信号に変換して、ＳＤＨ／ＳＯＮＥＴ回線に送信する。
【００４４】
尚、伝送装置１０１は、自装置がＣＥＰパケットの宛先の伝送装置ではない場合は、スイッチ１５３により、再び、パケット網１０２にＣＥＰパケットを転送する。そして、ステップＳ１０１の処理に戻って、パケット受信部１６８は、次のパケットを受信するまで待機する。
【００４５】
（ステップＳ１１０）誤り訂正部１６６は、ヘッダ３０１ａ１の誤りが訂正不可能なＣＥＰパケット３００ｂを廃棄する。そして、誤り訂正部１６６は、ＣＥＰ分解部１６４にＣＥＰパケットの廃棄を通知する。
【００４６】
（ステップＳ１１１）ＣＥＰ分解部１６４は、誤り訂正部１６６からＣＥＰパケットの廃棄の通知を受けて、当該ＣＥＰパケットのデータ部分を全て”１”に置き換えてＳＤＨ／ＳＯＮＥＴフレームを生成し、ＴＤＭ送信部１６２に出力する。ＴＤＭ送信部１６２は、ＣＥＰ分解部１６４から入力するＳＤＨ／ＳＯＮＥＴフレームをＴＤＭに同期させたＳＤＨ／ＳＯＮＥＴ信号に変換して、ＳＤＨ／ＳＯＮＥＴ回線に送信する。尚、ＳＤＨ／ＳＯＮＥＴフレームは、図３で説明したように、複数のＣＥＰパケットに分割して送信されるので、ＣＥＰ分解部１６４は、ＣＥＰヘッダのシーケンス番号により複数のＣＥＰパケットのデータを組み合わせてＳＤＨ／ＳＯＮＥＴフレームを生成する。
【００４７】
このようにして、本実施形態に係る伝送システム１００は、ＣＥＰパケットのヘッダ部分の誤りを訂正するための誤り訂正符号を付加してパケット網１０２上に伝送する。そして、伝送装置１０１は、ＣＥＰパケットのヘッダ部分に誤りがあった場合でも当該パケットを廃棄せず、訂正可能な誤りは訂正して伝送することができる。これにより、伝送システム１００は、ＳＤＨ／ＳＯＮＥＴ伝送装置間をパケット網１０２でエミュレーションする場合のエラーレートの低下を抑えることができる。
【００４８】
ここで、本実施形態に係る伝送システム１００の特徴が分かり易いように、図３の従来の伝送装置９０１におけるＣＥＰパケットの受信処理について図７を用いて説明する。尚、図７において、図６と同符号の処理は同じステップ番号で示してある。
【００４９】
図７において、伝送装置９０１は、ステップＳ１０１でパケットを受信するまで待機し、次のステップＳ１０３で受信したパケットのＦＣＳビットのチェックを行う。ここで、伝送装置９０１は、ステップＳ１０３の処理において、ＣＥＰパケットを含む受信した全てのパケットについてＦＣＳビットのチェックを行う点が図６の伝送装置１０１の場合とは異なる。図６の場合、伝送装置１０１は、ステップＳ１０２でＣＥＰパケットであるか否かを判別して、ＣＥＰパケット以外のパケットについてのみＦＣＳビットのチェックを行っている。これにより、ＣＥＰパケットは、ＦＣＳビットのチェックで当該パケットが廃棄されることはないが、図７の場合は、ステップＳ１０４の処理において、ＦＣＳビットのチェックによるエラーが検出された時にＣＥＰパケットが廃棄されてしまう。そして、伝送装置９０１は、ステップＳ１１１において、受信側のＳＤＨ／ＳＯＮＥＴ伝送装置で利用可能なエラーが無いデータを含むペイロード３０１ｂのデータを全て”１”のデータに置き換えて転送するので、ＳＤＨ／ＳＯＮＥＴ伝送装置間のエラーレートが大きく低下する原因になる。尚、ステップＳ１０３でＦＣＳビットのエラーが検出されなかった場合、ステップＳ１０５において、伝送装置９０１は、ＣＥＰパケットおよびＣＥＰパケット以外のデータを転送する。
【００５０】
このように、本実施形態に係る伝送システム１００は、ＣＥＰパケットのヘッダ部分を誤り訂正することにより、ペイロード部分のデータを救済し、ＳＤＨ／ＳＯＮＥＴ伝送装置間を中継するパケット網におけるエラーレートの低下を防ぐことができる。
【００５１】
以上説明してきたように、本実施形態に係る伝送システム１００は、時分割多重信号をパケット化して伝送する場合に、パケットのヘッダ部分を誤り訂正することによりペイロード部分の破棄を少なくし、エラーレートの低下を防ぐことができる。特に、伝送装置１０１は、パケットのヘッダ部分に誤りが無い場合およびヘッダ部分の誤り訂正が可能な場合にペイロード部分の誤りの有無に拘らず、ＳＤＨ／ＳＯＮＥＴ伝送装置２０１に当該パケットを送信する。これにより、従来の伝送装置９０１でペイロード部分に誤りが有る場合に破棄されていたペイロード部分のデータは、ＳＤＨ／ＳＯＮＥＴ伝送装置２０１に必ず送信されるので、ＳＤＨ／ＳＯＮＥＴ伝送装置２０１側で利用することが可能になる。
【００５２】
このように、本件開示の伝送装置および伝送システムは、時分割多重信号をパケット化して伝送する場合に、パケットのヘッダ部分を誤り訂正することによりペイロード部分の破棄を少なくし、エラーレートの低下を防ぐことができる。
【００５３】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物に拠ることも可能である。 
【符号の説明】
【００５４】
１００・・・伝送システム；１０１，９０１・・・伝送装置；１０２・・・パケット網；１０３・・・ＳＤＨ／ＳＯＮＥＴ回線；１０４・・・ＳＤＨ／ＳＯＮＥＴ回線；１５１・・・ＳＤＨ／ＳＯＮＥＴ＿ＩＦ；１５２・・・ＣＥＰ＿ＩＦ；１５３・・・スイッチ；１５４・・・１０ＧＥ＿ＩＦ；１６１・・・ＴＤＭ受信部；１６２・・・ＴＤＭ送信部；１６３・・・ＣＥＰ組立部；１６４・・・ＣＥＰ分解部；１６５・・・訂正符号付加部；１６６・・・誤り訂正部；１６７・・・パケット送信部；１６８・・・パケット受信部；２０１・・・ＳＤＨ／ＳＯＮＥＴ伝送装置；２０２・・・ＳＤＨ／ＳＯＮＥＴ回線
【図１】
2014053790.tif 000003
【図２】
2014053790.tif 000004
【図３】
2014053790.tif 000005
【図４】
2014053790.tif 000006
【図５】
2014053790.tif 000007
【図６】
2014053790.tif 000008
【図７】
2014053790.tif 000009